(57)【要約】【課題】基板同士をコネクタで接続する際に、コネクタ位置を自動的に調節する。【解決手段】カートリッジ４０は、ガイド片７１を挿入ガイド５３に合せてカートリッジ収納部４８に収納され、前面５９ａがカートリッジ挿入口４９に挿入されるようにカートリッジ収納部４８内でスライドされる。カートリッジ４０のスライドにともない、ガイド部材５５はガイド切欠き７２内に侵入してカートリッジ基板６０を押圧する。カートリッジ基板６０は、弾性片６８の付勢に抗してガイド部材５５に乗り上げ、第２コネクタ６４が第１コネクタ５０に対面する。【選択図】図３
2009050447.tif 000002
【特許請求の範囲】
【請求項１】
カートリッジ挿入口を有する基板ケースと、
前記カートリッジ挿入口に臨むように配置された第１コネクタを有し、前記基板ケース内に固定された第１回路基板と、
前面にコネクタ開口及びガイド切欠きが形成されたカートリッジと、
前記コネクタ開口内に位置しており、前記第１コネクタに接続可能な第２コネクタを有し、基板面と垂直な方向に移動可能に前記カートリッジ内に収納された第２回路基板と、
前記カートリッジが前記カートリッジ挿入口から挿入されるときに、前記ガイド切欠きを通って前記カートリッジ内に入り込むように前記基板ケースに設けられ、前記第２回路基板における前記第２コネクタが設けられる基板上面と反対側の基板下面と当接し、前記第２コネクタが前記第１コネクタに対面するように前記第２回路基板を押し上げ、かつ前記第１コネクタに向けてガイドするガイド部材とを備えたことを特徴とするコネクタ位置調節装置。
【請求項２】
前記第２回路基板は、弾性材または押圧材により前記基板上面側から基板下面側に向けて付勢されていることを特徴とする請求項１記載のコネクタ位置調節装置。
【請求項３】
制御基板と、前記制御基板に接続されて制御プログラムや演出情報等を提供するＲＯＭとを備えた遊技機において、
前記請求項１または２記載の前記基板ケース内に、前記第１回路基板として前記制御基板を収納し、前記第２回路基板に前記ＲＯＭを取り付けて、前記制御基板と前記ＲＯＭとを接続することを特徴とする遊技機。
【発明の詳細な説明】
【技術分野】
【０００１】
本発明は、基板同士をコネクタで接続する際にコネクタ位置を調節するコネクタ位置調節装置と、このコネクタ位置調節装置を用いた遊技機に関する。
【背景技術】
【０００２】
遊技盤の遊技面上に遊技球を打ち出し、遊技面上を流下する遊技球を入賞口に入賞させ、入賞の景品である賞球の払い出しを受ける弾球遊技機として、パチンコ機が知られている。パチンコ機は、複数のユニットから構成されており、例えば、遊技球を発射する発射機構等が組み込まれて遊技店の島設備に設置される遊技機本体と、この遊技機本体の前面側に取り付けられ、前面及び背面に遊技面及び制御基板等が設けられた遊技盤と、遊技面の前方を視認可能に覆うガラス扉等を備えている。
【０００３】
パチンコ機には、遊技店で遊技盤等を交換することにより機種が変更されるものがある。この遊技盤の交換時には、遊技の制御プログラムや、遊技盤の液晶ディスプレイに表示させる画像を含む演出情報等が記憶されたＲＯＭが一緒に交換される。ＲＯＭは、例えば、コネクタを有する基板に取り付けられ、箱状のカートリッジに収納された形態で提供され、機種変更時にパチンコ機の制御基板に接続される。
【０００４】
遊技店での機種変更は、複数台のパチンコ機で一斉に行なわれることが多く、作業中は営業を休止しなければならない。そのため、短時間で機種変更が行なわれることが望まれている。しかし、ＲＯＭが収納されたカートリッジを制御基板に接続する際に、カートリッジと制御基板のコネクタの位置を調節して挿入しなければならないため、交換に時間がかかることがあった。
【０００５】
従来、二つの基板のコネクタ同士を接続する際に、一方のコネクタを他方のコネクタに導くため、一方のコネクタが設けられた基板を他方のコネクタが設けられた基板までガイドするレールを設けたもの（特許文献１〜３参照）が知られている。
【特許文献１】特開平０９−３０８７６２号公報
【特許文献２】特許第３８７４４３１号公報
【特許文献３】特開２００７−０２９１１９号公報
【発明の開示】
【発明が解決しようとする課題】
【０００６】
しかしながら、レールを設けることにより制御基板に関連する部品サイズが大型化し、コストもアップするという問題があった。また、基板がガイドされるものの、コネクタの位置は調節されないため、コネクタ同士の接続時にコネクタの位置調節が必要となる。
【０００７】
本発明は、上記問題を解決するため、基板同士をコネクタで接続する際にコネクタ位置を自動的に調節できるようにすることを目的とする。
【課題を解決するための手段】
【０００８】
上記課題を解決するために本発明のコネクタ位置調節装置は、カートリッジ挿入口を有する基板ケースと、第１コネクタがカートリッジ挿入口に臨むように基板ケース内に固定された第１回路基板と、前面にコネクタ開口が形成され、片面にガイド切欠きが形成されたカートリッジと、コネクタ開口内に位置しており、第１コネクタに接続可能な第２コネクタを有し、基板面と垂直な方向に移動可能にカートリッジ内に収納された第２回路基板と、カートリッジがカートリッジ挿入口から挿入されるときに、ガイド切欠きを通ってカートリッジ内に入り込むように基板ケースに設けられ、第２回路基板における第２コネクタが設けられる基板上面と反対側の基板下面と当接し、第２コネクタが第１コネクタに対面するように第２回路基板を押し上げ、かつ第１コネクタに向けてガイドするガイド部材とを備えたものである。
【０００９】
また、第２回路基板は、弾性材または押圧材により基板上面側から基板下面側に向けて付勢されるものである。
【００１０】
また、本発明の遊技機は、上述した基板ケース内に第１回路基板として制御基板を収納し、第２回路基板にＲＯＭを取り付けて、制御基板とＲＯＭとを接続するものである。
【発明の効果】
【００１１】
本発明のコネクタ位置調節装置及び遊技機によれば、カートリッジをカートリッジ挿入口に挿入すると、第２コネクタが第１コネクタに対面するように、自動的に位置が調節されるので、簡単、かつ短時間で第１回路基板と第２回路基板とを接続することができる。また、第２コネクタの位置調節は、第２コネクタを基板面と垂直な方向で移動自在とし、ガイド切欠きとガイド部材とを設けるだけなので、制御基板関連の部品サイズが大型化せず、かつローコストである。
【発明を実施するための最良の形態】
【００１２】
図１に示すように、パチンコ機（遊技機）１０は、外枠１１，本体１２，遊技盤１３，ガラス扉１４から構成される。外枠１１は、木製の板を連結して矩形の枠状に形成されており、遊技場の島設備に固定される。本体１２，遊技盤１３，ガラス扉１４は、外枠１１の一端部に設けられた軸支部１５に一端部が回動自在に軸着されている。
【００１３】
本体１２は、上下に分割された矩形枠状に形成されており、その下部には下部ユニット１８が設けられている。下部ユニット１８の前面には、パチンコ球の発射時に操作される操作ハンドル１９と、賞球として排出されたパチンコ球を受ける受皿２０等が設けられている。また、下部ユニット１８の内部には、図示しないパチンコ球発射装置等が組み込まれている。
【００１４】
遊技盤１３の前面には、機種ごとに異なるデザインが印刷されたデザインシートが貼り付けられて、パチンコ球が流下される遊技面１３ａが形成されている。この遊技面１３ａには、パチンコ球の流下経路を変更する釘（図示せず）や、パチンコ球が入賞する各種入賞口２３、演出画像を表示する液晶ディスプレイ２４等の各種役物が取り付けられている。
【００１５】
ガラス扉１４は、遊技面１３ａの外周を覆う前面枠１４ａと、この前面枠１４ａの内側に形成された開口１４ｂの背後に配置されて、遊技面１３ａの前方を視認可能に覆うガラス板１４ｃから構成されている。
【００１６】
図２に示すように、遊技盤１３及びガラス扉１４が軸支部１５によって回動されると、本体１２に設けられた枠状の遊技盤収納部２７が露呈される。この遊技盤収納部２７内には、遊技盤１３の背面を受ける背面板２８が設けられており、この背面板２８の四隅には、遊技盤１３を固定する固定レバー２９が設けられている。これらの固定レバー２９は、遊技盤１３の四隅に設けられた長孔３０に挿入され、この長孔３０と直交するように回転されて遊技盤１３を保持する。
【００１７】
遊技盤１３の背面には、パチンコ機１０を制御するメイン基板ユニット３３と、液晶ディスプレイ２４に表示される画像の表示制御を行うサブ基板ユニット３４と、入賞口２３に入賞したパチンコ球を回収する球通路などが取り付けられた裏セット板３５等が取り付けられている。
【００１８】
メイン基板ユニット３３は、ＣＰＵやメモリ等からなる制御回路が設けられたメイン基板３３ａと、このメイン基板３３ａを覆うメイン基板ケース３３ｂから構成されている。サブ基板ユニット３４は、メイン基板３３ａに制御されて表示制御を行なう表示制御回路が設けられたサブ基板（第１回路基板，制御基板）３８と、このサブ基板３８を収納するサブ基板ケース（基板ケース）３９と、このサブ基板ケース３９に挿入されるカートリッジ４０から構成されている。
【００１９】
図３に示すように、サブ基板ケース３９は、遊技盤１３の背面に取り付けられる板状のケース基部４３と、このケース基部４３に取り付けられてサブ基板３８を覆う箱状のケースカバー４４から構成されている。このケース基部４３及びケースカバー４４は、例えばプラスチックで形成されている。サブ基板３８は、ケース基部４３に設けられた複数個のボス４３ａにネジ４５（図４参照）によって固定される。
【００２０】
ケースカバー４４には、一部を切り欠いてケース基部４３を露呈させたカートリッジ収納部４８が設けられている。カートリッジ収納部４８の内側面には、カートリッジ４０が挿入されるカートリッジ挿入口４９が設けられている。このカートリッジ挿入口４９内には、第１コネクタ５０の凹状の接続口５０ａが臨むように配置されている。第１コネクタ５０は、サブ基板３８の端縁に取り付けられ、表示制御回路と電気的に接続されている。
【００２１】
カートリッジ収納部４８の上下面４８ａ，４８ｂには、ケース基部４３に対して直交するように配置された凹状の挿入ガイド５３と、この挿入ガイド５３に連なってカートリッジ挿入口４９に向けて形成された切欠き状のスライドガイド５４が設けられている。また、ケース基部４３には、カートリッジ挿入口４９の幅方向の略中央に配置されて、サブ基板３８の背面が当接される矩形状のガイド部材５５が一体に設けられている。
【００２２】
カートリッジ４０は、板状のカートリッジ基部５８と、このカートリッジ基部５８に取り付けられる箱状のカートリッジカバー５９と、カートリッジ基部５８とカートリッジカバー５９によって形成される空間内に収納されるカートリッジ基板（第２回路基板）６０から構成されている。カートリッジ基部５８及びカートリッジカバー５９は、例えばプラスチックで形成されている。
【００２３】
カートリッジ基板６０には、カートリッジカバー５９の前面５９ａに形成されたコネクタ開口６３から突出される第２コネクタ６４と、ＲＯＭ６５が取り付けられている。第２コネクタ６４には、第１コネクタ５０の接続口５０ａに挿入される凸状の接続部６４ａが設けられており、ＲＯＭ６５と電気的に接続されている。ＲＯＭ６５には、液晶ディスプレイ２４に表示される演出画像のデータが記憶され、第１コネクタ５０及び第２コネクタ６４を介してサブ基板３８に電気的に接続される。
【００２４】
カートリッジ基板６０は、カートリッジ４０内で固定されておらず、基板面と垂直な方向で移動可能に収納されている。カートリッジカバー５９の側面５９ｂで、カートリッジ基板６０の第２コネクタ６４近傍に対面する位置には、３辺にスリット６８ａを形成して弾性を付与された弾性片（弾性材）６８が一体に設けられている。これらの弾性片６８は、先端の内側に設けられた押圧部６８ｂをカートリッジ基板６０に当接させ、カートリッジ基部５８側へ押圧する。
【００２５】
カートリッジ基部５８の上下面には、矩形のガイド片７１が一体に設けられている。また、カートリッジ基部５８とカートリッジカバー５９には、コネクタ開口６３の幅方向の中央部に連なるようにガイド切欠き７２が形成されている。このガイド切欠き７２により、カートリッジ基板６０の背面の一部が露呈される。
【００２６】
次に、上記実施形態の作用について説明する。図４（Ａ）及び図５（Ａ）に示すように、カートリッジ４０は、ガイド片７１が挿入ガイド５３に挿入されるようにカートリッジ基部５８側からカートリッジ収納部４８に収納される。
【００２７】
図５（Ｂ）に示すように、カートリッジ収納部４８に収納されたカートリッジ４０は、ケース基部４３の平面４３ｃ上で滑らせるようにしてカートリッジ挿入口４９に向けてスライドされる。カートリッジ４０は、カートリッジ収納部４８の上下面４８ａ，４８ｂで上下方向が、ケース基部４３の平面４３ｃ及びガイド片７１により水平方向がそれぞれ規制ガイドされるので、スライド方向がずれることはない。
【００２８】
カートリッジ４０の前面５９ａがカートリッジ挿入口４９に挿入されると、ガイド部材５５がガイド切欠き７２に侵入する。角部に設けられた斜面５５ａは、カートリッジ基板６０の背面に当接して、弾性片６８の付勢に抗してカートリッジ基板６０を基板面方向に移動させる。これにより、カートリッジ基板６０がガイド部材５５に乗り上げて位置決めされるので、特別な位置調節を行なわなくても、第２コネクタ６４が第１コネクタ５０に対面する。
【００２９】
図４（Ｂ）及び図５（Ｃ）に示すように、カートリッジ４０をカートリッジ挿入口４９に更に押し込むと、第１コネクタ５０の接続口５０ａに第２コネクタ６４の接続部６４ａが挿入され、ＲＯＭ６５がサブ基板３８の表示制御回路に電気的に接続される。なお、ガイド片７１がスライドガイド５４に挿入されているので、カートリッジ４０がサブ基板３８の基板面に直交する方向で動いてもサブ基板ケース３９から抜け落ちることはなく、コネクタ５０，６４の取り付け部分に負荷がかかることもない。
【００３０】
なお、上記実施形態では、カートリッジ４０に平板状のガイド片７１を設けたが、図６に示すサブ基板ユニット８０のように、ガイド片７１に代えて、上下方向に伸びる円柱状のガイド棒８１を設けてもよい。この場合、挿入ガイド５３及びスライドガイド５４の幅及び位置をガイド棒８１に合せて変更し、略Ｌ字状に形成する。また、カートリッジ４０の接続／取り外し時のスライドを行いやすくするため、側面５９ｂに指掛かり用の凹部８２を設けてもよい。
【００３１】
カートリッジ４０は、矢印Ａ方向に沿って、背面５９ｃ側からカートリッジ収納部４８に挿入され、各ガイド棒８１が挿入ガイド５３に挿入される。次いで、カートリッジ４０は、各ガイド棒８１を中心に矢印Ｂ方向に回転されて全体がカートリッジ収納部４８に収納され、第２コネクタ６４が第１コネクタ５０に対面する。そして、カートリッジ４０をケース基部４３の平面上で滑らせるようにして矢印Ｃ方向に沿ってスライドさせ、第１コネクタ５０と第２コネクタ６４を接続する。
【００３２】
カートリッジ４０は、カートリッジ収納部４８の上下面４８ａ，４８ｂで上下方向が、ケース基部４３の平面４３ｃ及びガイド棒８１により水平方向がそれぞれ規制ガイドされるので、スライド方向がずれることはない。また、凹部８２に指を掛けることができるので、カートリッジ４０のスライドが容易になる。
【００３３】
図２に示すように、カートリッジ４０は、本体１２の扉ヒンジ側から水平スライドさせてカートリッジ収納部４８に収納されるので、手を挿入するスペース等が狭くなる。しかし、上記サブ基板ユニット８０では、矢印Ａ〜Ｃの順番でカートリッジ４０を動かして取り付けることができるので収納の手間がかからず、作業性が大幅に改善される。また、ケース基部４３上の平面に垂直な方向から取り付けるという工程を増やすことで、取り外しに手間がかかるので、不正なＲＯＭ交換の抑制を図ることができる。
【００３４】
なお、上記実施形態では、弾性片６８をカートリッジカバー５９と一体に設けたが、別体に構成してもよいし、バネやゴム等の弾性材または押圧材を用いてもよい。また、上記実施形態では、サブ基板３８及びカートリッジ基板６０を垂直に立てた状態で用いたため、カートリッジ基板６０を１方向に片寄せする弾性片６８が必要となるが、サブ基板３８及びカートリッジ基板６０を水平に配置すれば、重力によってカートリッジ基板６０を下方に片寄せすることができるので、弾性材または押圧材を省略することができる。
【００３５】
更に、上記実施形態では、カートリッジ４０をサブ基板３８に接続したが、メイン基板３３ａに接続してもよい。また、遊技機としてパチンコ機を例に説明したが、スロットマシン等のその他の遊技機に用いてもよく、遊技機以外の装置にも適用可能である。
【図面の簡単な説明】
【００３６】
【図１】本発明を用いたパチンコ機の構成を示す外観斜視図である。
【図２】ガラス扉及び遊技盤を開放した状態を示すパチンコ機の外観斜視図である。
【図３】サブ基板ユニットの構成を示す外観斜視図である。
【図４】サブ基板面に直交する方向から見たカートリッジの挿入状態を示す断面図である。
【図５】サブ基板を側方から見たカートリッジの挿入状態を示す断面図である。
【図６】本発明の別の実施形態を用いたサブ基板ユニットの構成を示す外観斜視図である。
【符号の説明】
【００３７】
１０  パチンコ機
１３  遊技盤
１４  ガラス扉
３４，８０  サブ基板ユニット
３８  サブ基板
３９  サブ基板ケース
４０  カートリッジ
４８  カートリッジ収納部
４９  カートリッジ挿入口
５０  第１コネクタ
５５  ガイド部材
６０  カートリッジ基板
６３  コネクタ開口
６４  第２コネクタ
６５  ＲＯＭ
６８  弾性片
７２  ガイド切欠き
８１  ガイド棒
【図１】
2009050447.tif 000003
【図２】
2009050447.tif 000004
【図３】
2009050447.tif 000005
【図４】
2009050447.tif 000006
【図５】
2009050447.tif 000007
【図６】
2009050447.tif 000008